(57)【要約】【課題】表示パネルを追加することなく、折り畳まれた状態で表示情報の確認及び命令入力が可能な、インフォルディング方式のフォルダブル表示装置を提供する。【解決手段】ヒンジ部、ヒンジ部の両側でヒンジ部と結合された支持部、及び支持部の一部に形成された透光部を備える支持部材と、支持部材の第１面上に配置され、ヒンジ部に対応するフォルダブル表示領域及びフォルダブル表示領域の両側に位置する表示領域を含むフォルダブル表示パネルと、フォルダブル表示パネルと離隔して支持部材の透光部に配置される第１入力検知センサと、を含む【選択図】図１
2020129102.tif 000002
【特許請求の範囲】
【請求項１】
ヒンジ部（ｈｉｎｇｅ）、前記ヒンジ部の両側で前記ヒンジ部と結合された支持部、及び前記支持部の一部に形成される透光部を備える支持部材と、
前記支持部材の第１面上に配置され、前記ヒンジ部に対応するフォルダブル表示領域及び前記フォルダブル表示領域の両側に位置する表示領域を含むフォルダブル表示パネルと、
前記フォルダブル表示パネルと離隔して前記支持部材の透光部に配置される入力検知センサと、を含むことを特徴とするフォルダブル表示装置。
【請求項２】
前記透光部は前記支持部材の開口に対応し、
前記支持部材の前記開口に透明絶縁層が挿入されることを特徴とする請求項１に記載のフォルダブル表示装置。
【請求項３】
前記入力検知センサは前記透明絶縁層の一面に配置され、
前記フォルダブル表示パネルが折り畳まれた状態において前記入力検知センサと前記フォルダブル表示パネルの間に前記透明絶縁層が位置することを特徴とする請求項２に記載のフォルダブル表示装置。
【請求項４】
前記フォルダブル表示パネルが広げられた状態において前記フォルダブル表示パネルは前記透光部と重畳せず、
前記フォルダブル表示パネルが折り畳まれた状態において前記フォルダブル表示パネルの前記表示領域の一部が前記透光部に重畳することを特徴とする請求項３に記載のフォルダブル表示装置。
【請求項５】
前記支持部材の前記開口の側壁の少なくとも一部は、前記支持部材の前記第１面及び前記第１面に対向する第２面の垂直方向である第１方向に対して傾いた傾斜面を含むことを特徴とする請求項３に記載のフォルダブル表示装置。
【請求項６】
前記フォルダブル表示パネルが既設定された基準角度より小さい角度で折り畳まれる場合、前記入力検知センサが活性化され、
前記フォルダブル表示パネルが前記基準角度以上に広げられる場合、前記入力検知センサが非活性化されることを特徴とする請求項１に記載のフォルダブル表示装置。
【請求項７】
前記透光部は前記支持部材の開口に対応し、
前記支持部材は前記透光部に挿入されるエレクトロクロミックウィンドウを含み、
前記エレクトロクロミックウィンドウの透明度が前記エレクトロクロミックウィンドウに印加される電流量に応じて変化することを特徴とする請求項１に記載のフォルダブル表示装置。
【請求項８】
前記エレクトロクロミックウィンドウは、
前記支持部材の前記第１面の延長線上に位置する第１透明絶縁層と、
前記第１透明絶縁層上に配置される第１透明電極層と、
前記第１透明電極層上に配置される高分子分散型液晶（Ｐｏｌｙｍｅｒ  Ｄｉｓｐｅｒｓｅｄ  Ｌｉｑｕｉｄ  Ｃｒｙｓｔａｌ；ＰＤＬＣ）と、
前記高分子分散型液晶上に配置される第２透明電極層と、
前記第２透明電極層上に配置される第２透明絶縁層と、を含み、
前記入力検知センサは前記第２透明絶縁層上に配置されることを特徴とする請求項７に記載のフォルダブル表示装置。
【請求項９】
前記フォルダブル表示パネルは、前記フォルダブル表示パネルが広げられた状態において前記エレクトロクロミックウィンドウに重畳する複数の画素を含む透明表示領域をさらに含むことを特徴とする請求項７に記載のフォルダブル表示装置。
【請求項１０】
前記フォルダブル表示パネルが既設定された基準角度より小さい角度で折り畳まれる場合、前記エレクトロクロミックウィンドウが透明になり、
前記フォルダブル表示パネルが前記基準角度以上に広げられる場合、前記エレクトロクロミックウィンドウが不透明になることを特徴とする請求項７に記載のフォルダブル表示装置。
【発明の詳細な説明】
【技術分野】
【０００１】
本発明は電子機器に関し、より詳細には、フォルダブル表示装置及びこれを用いた電子機器に関する。
【背景技術】
【０００２】
最近では、折り畳んだり、折り曲げたり、丸めたりできるフレキシブル表示パネルの長所を利用したフォルダブル（ｆｏｌｄａｂｌｅ）表示装置、ベンダブル（ｂｅｎｄａｂｌｅ）表示装置、ローラブル（ｒｏｌｌａｂｌｅ）表示装置などの研究開発が行われている。当該表示装置は、携帯用電子機器、ウェアラブル（ｗｅａｒａｂｌｅ）機器だけでなく、テレビ、モニタなどの様々な分野に適用できる。
【０００３】
フォルダブル表示装置は、表示面が互いに対向するように折り畳まれるインフォルディング（ｉｎ−ｆｏｌｄｉｎｇ）方式、又は表示面が外側を向くように折り畳まれるアウトフォルディング（ｏｕｔ−ｆｏｌｄｉｎｇ）方式の何れかにより具現され得る。インフォルディング方式のフォルダブル表示装置が完全に折り畳まれた場合は、表示情報の確認及びディスプレイ（表示）の操作が難しい。
【０００４】
インフォルディング方式のフォルダブル表示装置が折り畳まれた状態で表示情報を確認するためには、表示パネルが配置された支持部材の反対側面に配置される表示パネルを追加する必要がある。
【先行技術文献】
【特許文献】
【０００５】
【特許文献１】米国特許出願公開第２０１７／００５２６２８  号明細書
【特許文献２】米国特許出願公開第２０１８／０３２９５３０  号明細書
【特許文献３】韓国特許出願公開第２０１４−０１４２００４  号明細書
【特許文献４】米国特許出願公開第２００８／０２４６３８９  号明細書
【特許文献５】韓国特許出願公開第２００７−００３０８９０  号明細書
【特許文献６】韓国特許出願公開第２０１８−００９７２２５  号明細書
【特許文献７】韓国特許出願公開第２０１５−００９６８２７  号明細書
【発明の概要】
【発明が解決しようとする課題】
【０００６】
本発明の一目的は、表示パネルが配置された支持部材の反対側面に配置される表示パネルを追加することなく、フォルダブル表示パネルが折り畳まれた状態で支持部材の透光部を介して表示情報の確認及び命令入力が可能な、インフォルディング方式のフォルダブル表示装置を提供することにある。
【０００７】
但し、本発明の目的は、上述した目的に限定されず、本発明の思想及び領域から外れない範囲内で多様に拡張できる。
【課題を解決するための手段】
【０００８】
本発明の一目的を達成すべく、本発明の実施例によるフォルダブル表示装置は、ヒンジ部（ｈｉｎｇｅ）、上記ヒンジ部の両側で上記ヒンジ部と結合された支持部、及び上記支持部の一部に形成される透光部を備える支持部材と、上記支持部材の第１面上に配置され、上記ヒンジ部に対応するフォルダブル表示領域及び上記フォルダブル表示領域の両側に位置する表示領域を含むフォルダブル表示パネルと、上記フォルダブル表示パネルと離隔して上記支持部材の透光部に配置される第１入力検知センサと、を含んでもよい。
【０００９】
また、上記透光部は、上記支持部材の開口に対応し、上記開口に対応する支持部材の間に透明絶縁層が挿入されてもよい。
【００１０】
また、上記第１入力検知センサは、上記透明絶縁層の一面に配置され、上記フォルダブル表示パネルが折り畳まれた状態において上記第１入力検知センサと上記フォルダブル表示パネルの間に上記透明絶縁層が位置してもよい。
【００１１】
また、上記フォルダブル表示パネルが広げられた状態において上記フォルダブル表示パネルは上記透光部と重畳しないことができる。
【００１２】
また、上記フォルダブル表示パネルが折り畳まれた状態において上記フォルダブル表示パネルの上記表示領域の一部が上記透光部に重畳することができる。
【００１３】
また、上記フォルダブル表示装置は、上記第１入力検知センサをカバーする透明保護層をさらに含んでもよい。
【００１４】
また、上記支持部材の上記開口の側壁の少なくとも一部は、上記支持部材の上記第１面及び上記第１面に対向する第２面の垂直方向である第１方向に対して傾いた傾斜面を含んでもよい。
【００１５】
また、上記支持部材の上記第１面の延長線上に定義される上記開口の第１幅が上記支持部材の上記第２面の延長線上に定義される上記開口の第２幅より大きくてもよい。
【００１６】
また、上記第１入力検知センサは、透明導電パターンを含むタッチセンサ及び圧力センサのうち少なくとも１つであってもよい。
【００１７】
また、上記フォルダブル表示パネルが既設定された基準角度より小さい角度で折り畳まれる場合、上記第１入力検知センサが活性化されることができる。上記フォルダブル表示パネルが上記基準角度以上に広げられる場合、上記第１入力検知センサが非活性化されることができる。
【００１８】
また、上記支持部材は上記フォルダブル表示パネルの表示面の反対側に位置し、上記フォルダブル表示パネルは上記表示面に配置される第２入力検知センサをさらに含んでもよい。
【００１９】
また、上記透光部は上記支持部材の開口に対応し、上記支持部材は上記透光部に挿入されるエレクトロクロミックウィンドウを含み、上記エレクトロクロミックウィンドウの透明度が上記エレクトロクロミックウィンドウに印加される電流量に応じて変化してもよい。
【００２０】
また、上記エレクトロクロミックウィンドウは、上記支持部材の上記第１面の延長線上に位置する第１透明絶縁層と、上記第１透明絶縁層上に配置される第１透明電極層と、上記第１透明電極層上に配置される高分子分散型液晶（Ｐｏｌｙｍｅｒ  Ｄｉｓｐｅｒｓｅｄ  Ｌｉｑｕｉｄ  Ｃｒｙｓｔａｌ；ＰＤＬＣ）と、上記高分子分散型液晶上に配置される第２透明電極層と、上記第２透明電極層上に配置される第２透明絶縁層と、を含んでもよい。
【００２１】
また、上記第１入力検知センサは上記第２透明絶縁層上に配置されてもよい。
【００２２】
また、上記第１入力検知センサは透明導電パターンを含むタッチセンサ及び圧力センサのうち少なくとも１つであってもよい。
【００２３】
また、上記フォルダブル表示パネルは、上記フォルダブル表示パネルが広げられた状態において上記エレクトロクロミックウィンドウに重畳する複数の画素を含む透明表示領域をさらに含んでもよい。
【００２４】
また、上記フォルダブル表示パネルが既設定された基準角度より小さい角度で折り畳まれる場合、上記エレクトロクロミックウィンドウが透明になることができる。上記フォルダブル表示パネルが上記基準角度以上に広げられる場合、上記エレクトロクロミックウィンドウが不透明になることができる。
【００２５】
本発明の一目的を達成すべく、本発明の実施例によるフォルダブル表示装置は、ヒンジ部（ｈｉｎｇｅ）、上記ヒンジ部の両側で上記ヒンジ部と結合された支持部、及び上記支持部の一部に形成される開口を備える支持部材と、上記支持部材の上記開口に配置される透明絶縁層と、上記支持部材の第１面上に配置され、上記ヒンジ部に対応するフォルダブル表示領域及び上記フォルダブル表示領域の両側に位置する表示領域を含むフォルダブル表示パネルと、上記支持部材の上記第１面の反対面である第２面に隣接する上記透明絶縁層の第１面に配置される透明導電パターンと、を含んでもよい。
【００２６】
また、上記フォルダブル表示パネルが広げられた状態において上記フォルダブル表示パネルは上記開口に重畳せず、上記フォルダブル表示パネルが折り畳まれた状態において上記フォルダブル表示パネルの上記表示領域の一部が上記開口に重畳してもよい。
【００２７】
また、上記フォルダブル表示装置は、上記透明絶縁層と上記透明電極パターンの間に配置されるエレクトロクロミックウィンドウをさらに含んでもよい。上記フォルダブル表示パネルは、上記フォルダブル表示パネルが広げられた状態において上記エレクトロクロミックウィンドウに重畳する複数の画素を含む透明表示領域をさらに含んでもよい。
【発明の効果】
【００２８】
本発明の実施例によるフォルダブル表示装置は、インフォルディング方式で具現され、支持部材の一部に第１入力検知センサを含む透明な透光部が形成されているので、フォルダブル表示装置が折り畳まれた状態で表示情報を確認するために、支持部材の第２面（フォルダブル表示パネルの反対側面）に更なる表示パネルを配置する必要はない。従って、表示パネルの追加による製造費用、厚さ、消費電力などの増加を防止できる。
【００２９】
また、透光部に配置される第１入力検知センサによってフォルダブル表示装置が折り畳まれた状態で画像及び／又はアプリケーションを制御できる。従って、インフォルディング方式のフォルダブル表示装置の使用利便性を増大できる。
【００３０】
但し、本発明の効果は、上述した効果に限定されず、本発明の思想及び領域から外れない範囲内で多様に拡張できる。
【図面の簡単な説明】
【００３１】
【図１】本発明の第１の実施形態によるフォルダブル表示装置を示す図である。
【図２】（ａ）は、図１のフォルダブル表示装置が広げられた状態の一例を示す平面図であり、（ｂ）は、図２（ａ）のフォルダブル表示装置をＡ−Ａ’線に沿って切断した一例を示す断面図である。
【図３】（ａ）は、図１のフォルダブル表示装置が折り畳まれた状態の一例を示す斜視図であり、（ｂ）は、図１のフォルダブル表示装置が折り畳まれた状態の一例を示す平面図であり、（ｃ）は、図３（ｂ）のフォルダブル表示装置をＢ−Ｂ’線に沿って切断した一例を示す断面図である。
【図４】（ａ）は、図３（ｂ）のフォルダブル表示装置をＢ−Ｂ’線に沿って切断した一例を示す断面図であり、（ｂ）は、図４（ａ）のフォルダブル表示装置が広げられた状態の一例を示す断面図である。
【図５】図１のフォルダブル表示装置の一例を概略的に示す断面図である。
【図６】（ａ）は、図１のフォルダブル表示装置の透光部に配置される第１入力検知センサの一例を示す平面図であり、（ｂ）は、図６（ａ）の第１入力検知センサをＣ−Ｃ’線に沿って切断した一例を示す断面図である。
【図７】図１のフォルダブル表示装置の折り畳む動作の一例を示す図である。
【図８】本発明の第２の実施形態によるフォルダブル表示装置が広げられた状態の一例を示す平面図である。
【図９】（ａ）は、図８のフォルダブル表示装置をＤ−Ｄ’線に沿って切断した一例を示す断面図であり、（ｂ）は、図８のフォルダブル表示装置の折り畳まれた状態の一部を概略的に示す断面図である。
【図１０】図８のフォルダブル表示装置の透光部の一例を示す断面図である。
【図１１】（ａ）は、図８のフォルダブル表示装置に含まれるフォルダブル表示パネルの透明表示領域の一例を示す平面図であり、（ｂ）は、図１１（ａ）のフォルダブル表示パネルをＩＩＩ−ＩＩＩ’線に沿って切断した一例を示す断面図である。
【図１２】（ａ）は、本発明の第３の実施形態によるフォルダブル表示装置が広げられた状態の一例を示す平面図であり、（ｂ）は、本発明の実施例によるフォルダブル表示装置の折り畳まれた状態の一例を示す平面図である。
【図１３】（ａ）は、本発明の第４の実施形態によるフォルダブル表示装置が広げられた状態の一例を示す平面図であり、（ｂ）は、本発明の第５の実施形態によるフォルダブル表示装置の折り畳まれた状態の一例を示す平面図である。
【図１４】（ａ）は、本発明の実施例によるフォルダブル表示装置が広げられた状態の一例を示す平面図であり、（ｂ）は、本発明の実施例によるフォルダブル表示装置の折り畳まれた状態の一例を示す平面図である。
【発明を実施するための形態】
【００３２】
以下、添付の図面を参照して、本発明の好ましい実施例をより詳細に説明する。但し、本発明は、以下に開示する実施例に限定されず、様々な形態に変更されて実施され得る。
【００３３】
一方、図面において、本発明の特徴と直接関係のない一部の構成要素は、本発明を明確に示すために省略されていることがある。また、図面上の一部構成要素は、その大きさや比率などが多少誇張されて図示されることがある。図面上の同じ構成要素に対しては、同じ参照符号を使用し、同じ構成要素に対する重複した説明は省略する。
【００３４】
図１は本発明の第１の実施形態によるフォルダブル表示装置１０００を示す図であり、図２（ａ）は図１のフォルダブル表示装置が広げられた状態の一例を示す平面図であり、図２（ｂ）は、は図２ａのフォルダブル表示装置のＡ−Ａ’線に沿って切断した一例を示す断面図である。
【００３５】
図１、図２（ａ）、図２（ｂ）を参照すると、フォルダブル表示装置１０００は、フォルダブル表示パネル１０、支持部材２０、及び第１入力検知センサ（以下、単に、入力検知センサともいう）４０を含み得る。
【００３６】
図１に示したように、フォルダブル表示装置１０００は、表示面（例えば、ＦＤＡ、ＤＡ１、ＤＡ２で図示される）を介して映像を表示できる。フォルダブル表示装置１０００が完全に広げられた状態での表示面は、第２方向軸ＤＲ２及び第３方向軸ＤＲ３が定義する面と平行である。表示面の法線方向、即ち、フォルダブル表示装置１０００の厚さ方向は、第１方向軸ＤＲ１が指し示す。
【００３７】
以下に説明する各部材の前面（又は上面）と背面（又は下面）は、第３方向軸ＤＲ３によって区分される。しかし、本実施例に示された第１〜第３方向軸ＤＲ１、ＤＲ２、ＤＲ３は例示に過ぎず、第１〜第３方向軸ＤＲ１、ＤＲ２、ＤＲ３が指し示す方向は、相対的な概念であり、他の方向に切り替わってもよい。以下、第１〜第３方向は、第１〜第３方向軸ＤＲ１、ＤＲ２、ＤＲ３の各々が指し示す方向であり、同じ図面符号を付する
【００３８】
一実施例において、フォルダブル表示装置１０００は、表示面が互いに対向するように折り畳まれるインフォルディング（ｉｎ−ｆｏｌｄｉｎｇ）方式で折り畳まれ得る。但し、これは例示的であり、フォルダブル表示装置１０００は、アウトフォルディング（ｏｕｔ−ｆｏｌｄｉｎｇ）される領域をさらに含み得、複数の折り畳み領域を含み得る。
【００３９】
一実施例では、図１、図２（ａ）、図２（ｂ）のフォルダブル表示装置１０００は、折り畳み軸が第３方向ＤＲ３に平行し、透光部ＬＴＡ（又は、開口ＯＰ）が折り畳み軸から第２方向ＤＲ２に延長して形成され得る。例えば、フォルダブル表示装置１０００は、左右に折り畳まれる電子機器に適用され得る。
【００４０】
フォルダブル表示パネル１０は、プラスチックフィルムのような可撓性基板を含み、可撓性基板上に配置される画素回路（複数のトランジスタ）と有機発光ダイオードなどの発光素子を利用して映像を表示できる。発光素子と画素回路は、薄膜封止層で被覆できる。薄膜封止層は、水分と酸素を含む外気環境に対して発光素子を密封して特性劣化を抑制できる。ここで、発光素子は、有機発光ダイオードに限定されない。例えば、発光素子は、無機発光材料を含む無機発光素子又は量子ドットを利用して出射される光の波長を変化させて発光する発光素子（量子ドットディスプレイ素子）であり得る。
【００４１】
フォルダブル表示パネル１０の表示面の外側には、透明なカバーウィンドウが備えられ得る。カバーウィンドウは、フォルダブル表示パネル１０のイメージをそのまま透過させる一方、外部からの衝撃やスクラッチなどからフォルダブル表示パネル１０を保護する。カバーウィンドウは、剛性と可撓性を有する透明素材を含み得る。
【００４２】
また、フォルダブル表示パネル１０とカバーウィンドウの間には、ユーザのタッチ動作を検知する第２入力検知センサ１５が配置され得る。
【００４３】
第２入力検知センサ１５は、タッチセンサ及び／又はフォースセンサの機能を実行できる。一実施例において、第２入力検知センサ１５は、フォルダブル表示パネル１０の表示面上に直接配置されるか、又は接着部材によってフォルダブル表示パネル１０の表示面上に付着され得る。他の実施例において、第２入力検知センサ１５は、フォルダブル表示パネル１０内にインセル（ｉｎ−ｃｅｌｌ）方式で内蔵され得る。
【００４４】
フォルダブル表示パネル１０と第２入力検知センサ１５及びカバーウィンドウは、表示モジュールＤＭを構成する。以下、「フォルダブル表示パネル」は、表示モジュールＤＭの意味を含み得る。
【００４５】
フォルダブル表示パネル１０は、支持部材２０の第１面ＳＦ１上に配置され得る。フォルダブル表示パネル１０は、ヒンジ部ＨＧ（及びこれに隣接する支持部ＳＰ１、ＳＰ２の一部）に対応するフォルダブル表示領域ＦＤＡ及びフォルダブル表示領域ＦＤＡの両側に位置する表示領域ＤＡ１、ＤＡ２を含み得る。フォルダブル表示領域ＦＤＡは、フォルダブル表示装置１０００の折り畳み動作時に直接折り畳まれる部分であり得る。
【００４６】
支持部材２０は、フォルダブル表示パネル１０の表示面の反対側に位置し、フォルダブル表示パネル１０を支持することにより、フォルダブル表示パネル１０を一定の形態に保持できる。支持部材２０は、フォルダブル表示装置１０００を広げたとき、フォルダブル表示パネル１０が平坦な形状を保持し、フォルダブル表示装置１０００を折り畳んだとき、フォルダブル表示パネル１０が所定の折り畳まれた形態を保持するようにする。また、支持部材２０は、外部からの衝撃、汚染などからフォルダブル表示パネル１０を保護できる。
【００４７】
一実施例において、支持部材２０は、ヒンジ部ＨＧと、ヒンジ部ＨＧの両側に位置してヒンジ部ＨＧと結合された１対の支持部ＳＰ１、ＳＰ２と、を含み得る。フォルダブル表示パネル１０に対向する支持部ＳＰ１、ＳＰ２の一面は平坦面を成し、１対の支持部ＳＰ１、ＳＰ２はヒンジ部ＨＧを中心として回動することで、フォルダブル表示装置１０００を折り畳み、広げることを可能にする。
【００４８】
第１支持部ＳＰ１は第１表示領域ＤＡ１を支持でき、第２支持部ＳＰ２は第２表示領域ＤＡ２を支持できる。
【００４９】
一実施例において、フォルダブル表示装置１０００の外郭を形成する支持部ＳＰ１、ＳＰ２の他の一面は、平坦面であるか、少なくとも１つの曲面を有し得る。
【００５０】
ヒンジ部ＨＧは一軸ヒンジ構造又は二軸ヒンジ構造からなり得る。一軸ヒンジ構造は単一の回転軸を備え、１対の支持部ＳＰ１、ＳＰ２が単一の回転軸に結合されて回動する。二軸ヒンジ構造は２つの回転軸を備え、１対の支持部ＳＰ１、ＳＰ２が各々の回転軸に結合されて回動する。図１以後では、二軸ヒンジ構造を例に挙げて示した。
【００５１】
フォルダブル表示パネル１０のうち支持部ＳＰ１、ＳＰ２に付着されていないフォルダブル表示領域ＦＤＡ（曲げ領域）及び／又はフォルダブル表示領域ＦＤＡに隣接する表示領域ＤＡ１、ＤＡ２の一部には、支持部ＳＰ１、ＳＰ２による直接的な拘束力が発生しない。
【００５２】
支持部材２０の一部には透光部ＬＴＡが形成され得る。透光部ＬＴＡを介して支持部材２０の第１面ＳＦ１と第２面ＳＦ２の間を光が透過できる。一実施例において、支持部材２０は、透光部ＬＴＡに対応する開口ＯＰを含み得る。即ち、透光部ＬＴＡは、支持部材２０の開口ＯＰに対応できる。
【００５３】
一実施例において、透光部ＬＴＡ（即ち、開口ＯＰ）には透明絶縁層３０が挿入され得る。透明絶縁層３０は、フィルム又は基板の形態で配置され得る。図２（ｂ）には、透明絶縁層３０が支持部材２０の開口ＯＰに挿入される場合を図示したが、透明絶縁層３０の配置はこれに限定されない。例えば、透明絶縁層は、支持部材２０の第１面ＳＦ１上の一部に延長されて形成され得る。
【００５４】
また、図２（ｂ）には、透明絶縁層３０の第１方向ＤＲ１への厚さが支持部材２０の厚さより小さい場合が図示されているが、透明絶縁層３０の第１方向ＤＲ１への厚さは、支持部材２０の厚さより大きい場合があり得る。例えば、透明絶縁層３０は、支持部材２０の第１面ＳＦ１及び／又は第２面ＳＦ２から突出した形状を有し得る。
【００５５】
一実施例において、透明絶縁層３０は、ガラス、透明樹脂などを含み得る。例えば、透明絶縁層３０は、ポリイミド（ＰＩ）、ポリエチレンテレフタレート（ＰＥＴ）、ポリエチレンナフタレート（ＰＥＮ）などを含み得る。
【００５６】
一実施例において、フォルダブル表示パネル１０は、透光部ＬＴＡを回避して支持部材２０の第１面ＳＦ１上に配置され得る。透光部ＬＴＡが第１表示領域ＤＡ１に重畳する第１支持部ＳＰ１に形成される場合、第１表示領域ＤＡ１の面積は第２表示領域ＤＡ２の面積より小さくなり得る。
【００５７】
透光部ＬＴＡは、既設定された表示情報を含む映像が表示される補助表示領域ＡＤＡに対応して形成され得る。例えば、第２表示領域ＤＡ２の一部に補助表示領域ＡＤＡが含まれる場合、透光部ＬＴＡは折り畳まれた状態のフォルダブル表示装置１０００の補助表示領域ＡＤＡに重畳する第１支持部ＳＰ１の一部に形成され得る。
【００５８】
補助表示領域ＡＤＡには、日付、現在の時刻、バッテリ情報、通信信号の強度、Ｗｉ−Ｆｉ情報、メッセージ通知などの情報が表示され得る。また、補助表示領域ＡＤＡには使用環境に適する様々な情報が表示され得る。
【００５９】
図１、図２（ａ）、図２（ｂ）には、透光部ＬＴＡの平面形状が長方形である場合が示されているが、これは例示的であり、透光部ＬＴＡの平面形状はこれに限定されない。例えば、透光部ＬＴＡは円形、楕円形などで表示装置の使用目的に応じて様々な平面形状を有し得る。
【００６０】
第１入力検知センサ４０は、フォルダブル表示パネル１０と離隔して配置され得る。第１入力検知センサ４０は、支持部材２０の透光部ＬＴＡに配置され得る。一実施例において、第１入力検知センサ４０は、透明絶縁層３０の一面に配置され得る。例えば、第１入力検知センサ４０は、第２面ＳＦ２に対応する支持部材２０の透明絶縁層３０の外側面上に配置され得る。これにより、フォルダブル表示パネル１０及びフォルダブル表示装置１０００が折り畳まれた状態のとき、第１入力検知センサ４０とフォルダブル表示パネル１０との間に透明絶縁層３０が位置できる。
【００６１】
第１入力検知センサ４０は、ユーザの入力動作を検知できる。一実施例において、第１入力検知センサ４０は、透明導電パターンを含むタッチセンサ及び圧力センサのうち少なくとも１つであり得る。例えば、第１入力検知センサ４０は、静電容量方式、電磁誘導方式、圧力検知方式などでタッチなどを検知できる。
【００６２】
さらに、第１入力検知センサ４０は、超音波検知方式、光検知方式でも外部入力を検知できる。例えば、第１入力検知センサ４０は、タッチセンサ、指紋センサ、フォースセンサ、虹彩センサなど少なくとも１つの機能を遂行できる。
【００６３】
一実施例において、透明導電パターンは、ＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＩＧＺＯ（ｉｎｄｉｕｍ  ｇａｌｌｉｕｍ  ｚｉｎｃ  ｏｘｉｄｅ）、ＺｎＯ（ｚｉｎｃ  ｏｘｉｄｅ）、ＩＴＺＯ（ｉｎｄｉｕｍ  ｔｉｎ  ｚｉｎｃ  ｏｘｉｄｅ）などの透明な伝導性酸化物を含み得る。その他に、透明導電層は、ＰＥＤＯＴのような伝導性高分子、金属ナノワイヤ、炭素ナノチューブ、グラフェンなどを含み得る。このような透明導電パターンは、微小メッシュ構造で配置され得る。従って、透明導電パターンを有する第１入力検知センサ４０及び透光部ＬＴＡは、高い光透過率を有し得る。
【００６４】
一実施例では、フォルダブル表示装置１０００が広げられた状態において、第１入力検知センサ４０は非活性化され得る。例えば、フォルダブル表示装置１０００が広げられた状態では、第１入力検知センサ４０への電源供給が遮断され得る。
【００６５】
図３（ａ）は図１のフォルダブル表示装置の折り畳まれた状態の一例を示す斜視図であり、図３（ｂ）は図１のフォルダブル表示装置の折り畳まれた状態の一例を示す平面図であり、図３（ｃ）は図３（ｂ）のフォルダブル表示装置をＢ−Ｂ’線に沿って切断した一例を示す断面図である。
【００６６】
図３（ａ）〜図３（ｃ）では、図１、図２（ａ）、図２（ｂ）を参照して説明した同じ構成要素に対して同じ参照符号を使用し、当該構成要素に対する重複説明は省略する。
【００６７】
図１〜図３（ｃ）を参照すると、フォルダブル表示装置１０００は、フォルダブル表示パネル１０、支持部材２０、及び入力検知センサ（即ち、第１入力検知センサ）４０を含み得る。
【００６８】
フォルダブル表示装置１０００が折り畳まれた場合、支持部材２０の透光部ＬＴＡは、フォルダブル表示パネル１０の一部（例えば、第２表示領域ＤＡ２の一部）に重畳し得る。例えば、支持部材２０の透光部ＬＴＡは、補助表示領域ＡＤＡと重畳できる。従って、透光部ＬＴＡを介して補助表示領域ＡＤＡの映像がユーザに視認され得る。
【００６９】
透光部ＬＴＡには、透明絶縁層３０及び第１入力検知センサ４０が配置され得る。透光部ＬＴＡの外側面は、透光部ＬＴＡ周辺の支持部材２０の外側面と同一面上に定義され得る。ここで、支持部材２０及び透光部ＬＴＡの外側面は、フォルダブル表示パネル１０が配置される支持部材２０の第１面ＳＦ１の反対側である第２面ＳＦ２に対応できる。
【００７０】
但し、これは例示的であり、透光部ＬＴＡの外側面は、支持部材２０の第２面ＳＦ２より突出した形状又は凹んだ形状であり得る。
【００７１】
図３（ｃ）に示したように、フォルダブル表示装置１０００が折り畳まれた場合、第１入力検知センサ４０とフォルダブル表示パネル１０との間に透明絶縁層３０が位置することができる。第１支持部ＳＰ１に対応する第１表示領域ＤＡ１は透光部ＬＴＡと重畳しないので、ユーザは透光部ＬＴＡを介して第２表示領域ＤＡ２に表示される映像を視認できる。例えば、第２表示領域ＤＡ２に含まれる補助表示領域ＡＤＡと透光部ＬＴＡが第１方向ＤＲ１に対して重畳し、透光部ＬＴＡを介して補助表示領域ＡＤＡが視認され得る。但し、これは例示的であり、透光部ＬＴＡを介して表示される映像は、使用環境に応じて様々な情報を含み得る。
【００７２】
一実施例では、フォルダブル表示装置１０００が折り畳まれた状態において、フォルダブル表示パネル１０の第１表示領域ＤＡ１の第２方向ＤＲ２への長さは、第２表示領域ＤＡ２の第２方向ＤＲ２への長さより短くなり得る。即ち、第１表示領域ＤＡ１は透光部ＬＴＡと重畳しない。
【００７３】
一方、フォルダブル表示装置１０００が折り畳まれた場合、第１入力検知センサ４０が活性化され得る。これにより、フォルダブル表示装置１０００が折り畳まれた状態において透光部ＬＴＡの第１入力検知センサ４０はタッチ検知及び／又は圧力検知できる。例えば、第１入力検知センサ４０のタッチ検知に応答して補助表示領域ＡＤＡに表示される映像情報が変更され得る。さらに、スマートフォンなどのフォルダブル表示装置１０００を含む電子機器は、第１入力検知センサ４０のタッチ検知に応答して、ボリューム調整、音楽再生、電話の送受信、メッセージ送信などのアプリケーションを遂行できる。
【００７４】
上述したように、本発明の実施例によるインフォルディング方式のフォルダブル表示装置１０００は、フォルダブル表示パネル１０が配置されない支持部材２０の一部に第１入力検知センサ４０を含む透光部ＬＴＡを含み得る。これにより、フォルダブル表示装置１０００が折り畳まれた状態で表示情報を確認するために、支持部材２０の第２面ＳＦ２に更なる表示パネルを配置する必要がない。従って、表示パネルの追加による製造費用、厚さ、消費電力などの増加が防止される。
【００７５】
また、透光部ＬＴＡに配置される第１入力検知センサ４０によってフォルダブル表示装置１０００が折り畳まれた状態での補助表示領域ＡＤＡの表示情報の制御及びアプリケーションの駆動制御が可能になり得る。従って、インフォルディング方式のフォルダブル表示装置１０００の使用利便性が増大できる。
【００７６】
図４（ａ）は図３（ｂ）のフォルダブル表示装置をＢ−Ｂ’線に沿って切断した一例を示す断面図であり、図４（ｂ）は図４（ａ）のフォルダブル表示装置が広げられた状態の一例を示す断面図である。
【００７７】
図４（ａ）及び図４（ｂ）では、図１〜図３（ｃ）を参照して説明した同じ構成要素に対しては同じ参照符号を使用し、当該構成要素に対する重複説明は省略する。また、図４（ａ）及び図４（ｂ）のフォルダブル表示装置は、支持部材の開口の側壁の形状を除き、図２（ｂ）及び図３（ｃ）のフォルダブル表示装置の断面と実質的に同一又は類似する構成であり得る。
【００７８】
図２（ｂ）、図３（ｃ）、図４（ａ）、及び図４（ｂ〉を参照すると、支持部材２０の開口ＯＰ（図２（ｂ）及び図３（ｃ）の透光部ＬＴＡ）には、透明絶縁層３０と第１入力検知センサ４０が配置され得る。
【００７９】
一実施例において、支持部材２０の開口ＯＰの側壁ＳＷの少なくとも一部は、第１方向ＤＲ１に対して傾いた傾斜面を含み得る。傾斜面は平面形状又は少なくとも一部が曲がった形状を有し得る。一実施例では、支持部材２０の第１面ＳＦ１の延長線上に定義される開口ＯＰの第１幅Ｗ１が支持部材２０の第２面ＳＦ２の延長線上に定義される開口ＯＰの第２幅Ｗ２より大きくなり得る。
【００８０】
これにより、図４（ａ）に示されたように、フォルダブル表示装置が折り畳まれた場合、透光部ＬＴＡは、第２表示領域ＤＡ２から第１方向ＤＲ１に離れるほど狭くなる形状を有し得る。従って、フォルダブル表示装置が折り畳まれた状態において、表示面に入射する外光の入射量が減少し、表示面から放出される光の散乱が低減されて、透光部ＬＴＡを介して見える第２表示領域ＤＡ２の映像の視認性が向上できる。
【００８１】
図５は図１のフォルダブル表示装置の一例を概略的に示す断面図である。
【００８２】
図５では、図１〜図３（ｃ）を参照して説明した同じ構成要素に対しては同じ参照符号を使用し、当該構成要素に対する重複説明は省略する。また、図５のフォルダブル表示装置は、第１入力検知センサ４０上に配置される透明保護層の構成を除き、図３（ｃ）のフォルダブル表示装置の断面と実質的に同一又は類似する構成であり得る。
【００８３】
図２（ｂ）、図３（ｃ）、及び図５を参照すると、透光部ＬＴＡには、透明絶縁層３０、第１入力検知センサ４０、及び透明保護層５０が配置され得る。
【００８４】
図５には、支持部材２０の第１支持部ＳＰ１の一部、フォルダブル表示パネル１０の第１表示領域ＤＡ１の一部のみを示した。
【００８５】
第１入力検知センサ４０は、透明導電パターンを含み得る。
【００８６】
透明絶縁層３０上に配置される第１入力検知センサ４０上に透明保護層５０が配置され得る。透明保護層５０は第１入力検知センサ４０をカバーし、第１入力検知センサ４０を外部からの衝撃、スクラッチ、汚染物質などから保護できる。透明保護層５０は、ガラス、プラスチック、透明高分子合成樹脂などを含み得る。
【００８７】
図５には、透明絶縁層３０の第１方向ＤＲ１への厚さが支持部材２０の厚さより小さい場合が図示されているが、透明絶縁層３０の第１方向ＤＲ１への厚さは、支持部材２０の厚さより大きくなり得る。例えば、透明絶縁層３０は、支持部材２０の第１面（例えば、図２（ｂ）にＳＦ１で表示）及び／又は第２面（例えば、図２（ｂ）にＳＦ２で表示）から突出した形状を有し得る。
【００８８】
図６（ａ）は図１のフォルダブル表示装置の透光部に配置される第１入力検知センサ（即ち、入力検知センサ）４０の一例を示す平面図であり、図６（ｂ）は図６（ａ）の入力検知センサをＣ−Ｃ’線に沿って切断した一例を示す断面図である。
【００８９】
以下、第１入力検知センサ４０と入力検知センサ４０は実質的に同じものであり、混用して記載する。
【００９０】
図１、図２（ａ）、図６（ａ）、及び図６（ｂ）を参照すると、第１入力検知センサ４０（以下、入力検知センサ４０という）は、第１検知電極ＩＥ１、第１検知電極ＩＥ１に接続された第１信号ライン（図示せず）、第２検知電極ＩＥ２、及び第２検知電極ＩＥ２に接続された第２信号ライン（図示せず）を含み得る。
【００９１】
一実施例では、第１検知電極ＩＥ１と第２検知電極ＩＥ２は互いに交差する。第１検知電極ＩＥ１は第３方向ＤＲ３に配列され、各々が第２方向ＤＲ２に延長された形状であり得る。第２検知電極ＩＥ２は第２方向ＤＲ２に配列され、各々が第３方向ＤＲ３に延長された形状であり得る。第１及び第２検知電極ＩＥ１、ＩＥ２は、相互容量方式及び／又は自己容量方式で外部入力を検知できる。
【００９２】
第１及び第２検知電極ＩＥ１、ＩＥ２は、透明導電物質を含み得る。例えば、第１及び第２検知電極ＩＥ１、ＩＥ２はＩＴＯ、ＩＺＯ、ＩＧＺＯ、ＺｎＯ、ＩＴＺＯなどの透明な伝導性酸化物を含み得る。その他に、透明導電層はＰＥＤＯＴのような伝導性高分子、金属ナノワイヤ、炭素ナノチューブ、グラフェンなどを含み得る。
【００９３】
第１検知電極ＩＥ１の各々は、第１センサ部ＳＳＰ１及び第１接続部ＣＰ１を含み得る。第２検知電極ＩＥ２の各々は、第２センサ部ＳＳＰ２及び第２接続部ＣＰ２を含み得る。第１センサ部ＳＳＰ１のうち第１検知電極の両端に配置された２つの第１センサ部は、中央に配置された第１センサ部に比べて小さいサイズ、例えば、１／２のサイズであり得る。第２センサ部ＳＳＰ２のうち第２検知電極の両端に配置された２つの第２センサ部は、中央に配置された第２センサ部に比べて小さいサイズ、例えば、１／２のサイズであり得る。
【００９４】
図６（ａ）に図示された検知電極の形状は限定されない。一実施例において、第１検知電極ＩＥ１と第２検知電極ＩＥ２は、センサ部と接続部の区分がない形状（例えば、バー状）であり得る。菱形の第１センサ部ＳＳＰ１と第２センサ部ＳＳＰ２を例示的に示したが、これに限定されず、第１センサ部ＳＳＰ１と第２センサ部ＳＳＰ２の形状は多角形であり得る。また、一実施例において、第１検知電極ＩＥ１及び第２検知電極ＩＥ２は、透明導電物質からなるメッシュパターンで透明絶縁層３０上に配置され得る。
【００９５】
第１接続部ＣＰ１の各々は隣接する第１センサ部ＳＳＰ１を接続し、第２接続部ＣＰ２の各々は隣接する第２センサ部ＳＳＰ２を接続する。
【００９６】
図６（ｂ）は入力検知センサ４０が積層構成される一例を示す。図６（ｂ）に示したように、第１センサ部ＳＳＰ１は、第１接続コンタクトホールＣＮＴ−Ｉを介して第１接続部ＣＰ１に電気的に接続され得る。
【００９７】
第１接続部ＣＰ１は第２接続部ＣＰ２と互いに交差するが、寄生キャパシタンスの影響を減らすために、第１接続部ＣＰ１の幅（平面で測定）を最小化することが望ましい。
【００９８】
一実施例において、入力検知センサ４０は、透明絶縁層３０上に配置されて第１接続部ＣＰ１をカバーする第１絶縁層ＩＳ−ＩＬ１と、第１絶縁層ＩＳ−ＩＬ１上に配置される第２絶縁層ＩＳ−ＩＬ２と、をさらに含み得る。第１及び第２絶縁層ＩＳ−ＩＬ１、ＩＳ−ＩＬ２は透明な絶縁層であり得る。例えば、第１絶縁層ＩＳ−ＩＬ１は高分子層、例えば、アクリル高分子層であり得る。第２絶縁層ＩＳ−ＩＬ２も高分子層、例えば、アクリル高分子層であり得る。また、第１及び第２絶縁層ＩＳ−ＩＬ１、ＩＳ−ＩＬ２は、弾性力を有する透明な絶縁層であり得る。
【００９９】
但し、これは例示的であり、入力検知センサ４０の構成及び機能はこれに限定されない。
【０１００】
図７は、図１のフォルダブル表示装置の折り畳み動作の一例を示す図である。
【０１０１】
図７では、図１〜図２（ｂ）を参照して説明した同じ構成要素に対しては同じ参照符号を使用し、当該構成要素に対する重複説明は省略する。
【０１０２】
図７を参照すると、フォルダブル表示装置１０００は、フォルダブル表示パネル１０の表示面が互いに対向するようにインフォルディング方式で折り畳まれ得る。
【０１０３】
一実施例において、フォルダブル表示パネル１０が既設定の基準角度より小さい角度で折り畳まれる場合、入力検知センサ４０が活性化されることができる。これにより、フォルダブル表示装置１０００が折り畳まれた状態で、透光部ＬＴＡの入力検知センサ４０がタッチ検知及び／又は圧力検知できる。例えば、入力検知センサ４０のタッチ検知に応答して補助表示領域ＡＤＡに表示される映像情報が変更され得、及び／又は所定のアプリケーションが駆動され得る。例えば、基準角度は約３０°であり得る。
【０１０４】
また、フォルダブル表示パネル１０が基準角度以上に広げられる場合、入力検知センサ４０が非活性化され得る。例えば、フォルダブル表示装置１０００が広げられた状態において第１入力検知センサ４０への電源供給が遮断され得る。従って、フォルダブル表示装置１０００が広げられた状態では、入力検知センサ４０に対する意図しないタッチによる誤動作を防止できる。
【０１０５】
図８は本発明の第２の実施形態によるフォルダブル表示装置１００１が広げられた状態の一例を示す平面図であり、図９（ａ）は図８のフォルダブル表示装置をＤ−Ｄ’線に沿って切断した一例を示す断面図であり、図９（ｂ）は図８のフォルダブル表示装置の折り畳まれた状態の一部を概略的に示す断面図である。
【０１０６】
図８〜図９（ｂ）では、図１〜図３（ｃ）を参照して説明した同じ構成要素に対しては同じ参照符号を使用し、当該構成要素に対する重複説明は省略する。また、図８〜図９（ｂ）のフォルダブル表示装置は、透光部の構成及びこれに対応するフォルダブル表示パネルの構成を除き、図１〜図３（ｃ）のフォルダブル表示装置と実質的に同一又は類似する構成を取り得る。
【０１０７】
図８〜図９（ｂ）を参照すると、フォルダブル表示装置１００１は、フォルダブル表示パネル１１、支持部材２０、入力検知センサ４０、及びエレクトロクロミックウィンドウ６０を含み得る。
【０１０８】
フォルダブル表示パネル１１は、支持部材２０の第１面ＳＦ１上に配置され得る。フォルダブル表示パネル１１は、ヒンジ部ＨＧ（及びこれに隣接する支持部ＳＰ１、ＳＰ２の一部）に対応するフォルダブル表示領域ＦＤＡ及びフォルダブル表示領域ＦＤＡの両側に位置する表示領域ＤＡ１、ＤＡ２を含み得る。
【０１０９】
フォルダブル表示パネル１１は、支持部材２０の開口ＯＰ、即ち、透光部ＬＴＡに重畳する透明表示領域ＴＤＡを含み得る。例えば、透明表示領域ＴＤＡは、第１表示領域ＤＡ１の一部に含まれ得る。
【０１１０】
透明表示領域ＴＤＡは透過領域と画素領域を備え、表示面の反対側に位置する物又はイメージを透過させ得る。即ち、フォルダブル表示装置１００１が広げられた状態において、フォルダブル表示パネル１１に含まれる一部の画素は透光部ＬＴＡに重畳して配置される。これにより、表示領域ＦＤＡ、ＤＡ１、ＤＡ２、ＴＤＡは、透光部ＬＴＡの位置及び形状に関係なく形成できる。例えば、フォルダブル表示パネル１１の全体表示領域の平面形状は正方形であり得る。
【０１１１】
従って、フォルダブル表示装置１００１が広げられた状態で、図８のフォルダブル表示パネル１１は、図１の実施例による表示領域よりさらに広い表示領域を確保することができる。また、第１表示領域ＤＡ１と第２表示領域ＤＡ２が対称になるように形成されることで、画素及び画素に接続される配線の設計が容易になる。
【０１１２】
一実施例では、フォルダブル表示装置１００１が折り畳まれると、透明表示領域ＴＤＡは補助表示領域ＡＤＡと重畳し得る。これにより、補助表示領域ＡＤＡに表示される映像が透明表示領域ＴＤＡを介して視認され得る。
【０１１３】
支持部材２０は、透光部ＬＴＡに対応する開口ＯＰを含み得る。即ち、透光部ＬＴＡは、支持部材２０の開口ＯＰに対応できる。
【０１１４】
一実施例において、透光部ＬＴＡ（即ち、開口ＯＰ）には、エレクトロクロミックウィンドウ６０が挿入され得る。エレクトロクロミックウィンドウ６０は、これに印加される電流量に応じて透明度を変化できる。
【０１１５】
一実施例では、フォルダブル表示装置１００１が広げられた状態においてエレクトロクロミックウィンドウ６０が不透明に変わり得る。即ち、図９（ａ）に示したように、フォルダブル表示装置１００１が広げられた状態で透明表示領域ＴＤＡを含む全体表示領域ＤＡ１、ＦＤＡ、ＤＡ２が発光する場合、不透明に変わったエレクトロクロミックウィンドウ６０によって透明表示領域ＴＤＡにおける光透過が遮断される。従って、透明表示領域ＴＤＡと残りの表示領域に表示される画像間の映像偏差が視認されない。
【０１１６】
フォルダブル表示装置１００１が折り畳まれた状態で、エレクトロクロミックウィンドウ６０が透明になり得る。一実施例では、図９（ｂ）に示したように、透明表示領域ＴＤＡと重畳する第２表示領域ＤＡ２の一部の映像が透明なエレクトロクロミックウィンドウ６０及び透明な透明表示領域ＴＤＡを透過してユーザに視認され得る。他の実施例では、フォルダブル表示装置１００１が折り畳まれると、第２表示領域ＤＡ２の映像が消され、透明表示領域ＴＤＡに映像（例えば、図３（ｂ）の補助表示領域ＡＤＡの映像）が表示され得る。この場合、透明表示領域ＴＤＡの映像が透明なエレクトロクロミックウィンドウ６０を透過してユーザに視認され得る。
【０１１７】
入力検知センサ４０は、エレクトロクロミックウィンドウ６０上に配置され得る。一実施例において、エレクトロクロミックウィンドウ６０は、透明表示領域ＴＤＡと入力検知センサ４０との間に配置され得る。入力検知センサ４０は、フォルダブル表示装置が折り畳まれた状態で活性化され得る。これにより、フォルダブル表示装置１００１が折り畳まれた状態で、透光部ＬＴＡに対するタッチなどによりフォルダブル表示装置１００１を制御できる。
【０１１８】
上述したように、本発明の実施例によるフォルダブル表示装置１００１は、透光部ＬＴＡと重畳する透明表示領域ＴＤＡ、エレクトロクロミックウィンドウ６０、及び入力検知センサ４０を含むことにより、フォルダブル表示装置１００１が広げられた状態で安定的な画面比を有する映像が表示され得、フォルダブル表示装置１００１が折り畳まれた状態で透光部ＬＴＡを介して補助表示領域ＡＤＡの映像が視認され得る。従って、インフォルディング方式のフォルダブル表示装置１００１の使用利便性が増大する。
【０１１９】
図１０は、図８のフォルダブル表示装置の透光部の一例を示す断面図である。
【０１２０】
図８〜図１０を参照すると、フォルダブル表示装置１００１の透光部ＬＴＡは、エレクトロクロミックウィンドウ６０及び入力検知センサ４０を含み得る。フォルダブル表示装置１００１の透光部ＬＴＡは、入力検知センサ４０上に配置される透明保護層５０をさらに含み得る。
【０１２１】
一実施例において、エレクトロクロミックウィンドウ６０は、支持部材２０の第１面ＳＦ１の延長線上に位置する第１透明絶縁層６１、第１透明絶縁層６１上に配置される第１透明電極層６２、第１透明電極層６２上に配置される高分子分散型液晶６３（Ｐｏｌｙｍｅｒ  Ｄｉｓｐｅｒｓｅｄ  Ｌｉｑｕｉｄ  Ｃｒｙｓｔａｌ；ＰＤＬＣ）、高分子分散型液晶６３上に配置される第２透明電極層６４、及び第２透明電極層６４上に配置される第２透明絶縁層６５を含み得る。
【０１２２】
第１透明絶縁層６１及び第２透明絶縁層６５は、透明性を有する絶縁基板又は絶縁フィルムであり得る。例えば、第１透明絶縁層６１及び第２透明絶縁層６５は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリイミド（Ｐｏｌｙｉｍｉｄｅ；ＰＩ）フィルム、ポリスチレン（Ｐｏｌｙｓｔｙｒｅｎｅ；ＰＳ）、ガラス又は強化ガラスなどで形成され得るが、上記列挙した物質に限定されず、透明性を有する基板材料であれば候補となる。
【０１２３】
ここで、第１透明絶縁層６１は、図２（ａ）などに図示された透明絶縁層３０に対応できる。
【０１２４】
第１及び第２透明電極層６２、６４は、透明且つ伝導性を有する物質からなり得る。第１及び第２透明電極層６２、６４は、ＩＴＯ、ＩＺＯ、ＩＧＺＯ、ＺｎＯ、ＩＴＺＯなどの透明な伝導性酸化物を含み得る。その他に、透明導電層はＰＥＤＯＴのような伝導性高分子、金属ナノワイヤ、炭素ナノチューブ、グラフェンからなる群より選択される１つ以上であり得る。
【０１２５】
一実施例において、高分子分散型液晶６３は、紫外線や熱によって硬化される高分子物質の原料を液晶と混合して液晶試片に注入した後、紫外線及び／又は熱に晒して形成できる。即ち、高分子物質の原料が紫外線や熱に晒されて高分子を形成する際、液晶と相分離を起こし、これにより、高分子網の間に液晶滴が形成され得る。液晶としては、ネマティック液晶、コレステリック液晶、スメクティック液晶、強誘電性液晶などを使用できるが、これに限定されない。
【０１２６】
所定の駆動電源がエレクトロクロミックウィンドウ６０に印加されない場合、液晶滴内の液晶は任意の方向に配列され、液晶滴の有効屈折率と高分子の屈折率の間に差が発生し、これにより入射する光は不透明に散乱され得る。従って、駆動電源が印加されない場合、エレクトロクロミックウィンドウ６０は不透明な状態であり得る。
【０１２７】
駆動電源がエレクトロクロミックウィンドウ６０に印加されると、液晶は一方向に整列して液晶滴と高分子の屈折率が互いに実質的に等しくなり、入射する光は高分子分散型液晶６３を透過できる。従って、駆動電源が印加されると、エレクトロクロミックウィンドウ６０は透明な状態になり得る。
【０１２８】
一方、エレクトロクロミックウィンドウ６０の光透過量を調整するために、第１及び第２透明電極層６２、６４のうち少なくとも１つはパターニングされた形態で配置され得る。
【０１２９】
図１１（ａ）は図８のフォルダブル表示装置に含まれるフォルダブル表示パネルの透明表示領域の一例を示す平面図であり、図１１（ｂ）は図１１（ａ）のフォルダブル表示パネルをＩＩＩ−ＩＩＩ’線に沿って切断した一例を示す断面図である。
【０１３０】
図８、図１１（ａ）、及び図１１（ｂ）を参照すると、フォルダブル表示パネル１１の透明表示領域ＴＤＡは、画素領域Ｉ及び透過領域ＩＩを含み得る。１つの画素領域Ｉには第１〜第３サブ画素３１５、３２０、３２５が位置でき、透過領域ＩＩには透過ウィンドウ３７０が配置され得る。
【０１３１】
第１〜第３サブ画素３１５、３２０、３２５は、各々異なる色の光を放出できる発光層である。例えば、第１〜第３サブ画素３１５、３２０、３２５は、各々赤色光、緑色光、及び青色光の何れか１つを放出できる。
【０１３２】
透過領域ＩＩにおいて、透過ウィンドウ３７０は外部から入射される光を透過させ得る。ここで、第１〜第３サブ画素３１５、３２０、３２５及び透過ウィンドウ３７０を取り囲む部分（例えば、デッドスペース）には、共通配線（データ配線、走査配線、電源配線など）と絶縁層（例えば、画素定義膜、保護層など）が配置され得る。例えば、画素定義膜３１０が第１〜第３サブ画素３１５、３２０、３２５及び透過ウィンドウ３７０を取り囲み得る。
【０１３３】
例示的な実施例において、フォルダブル表示パネル１１の上部電極３３０は、画素領域Ｉの第１〜第３サブ画素３１５、３２０、３２５に重畳して配置され得る。この場合、上部電極３３０は透過領域ＩＩには配置されない。
【０１３４】
図１１（ｂ）に示したように、フォルダブル表示パネル１１は、基板１１０、第１絶縁層１５０、第２絶縁層１９０、第３絶縁層２７０、駆動トランジスタ２５０、下部電極２９０、画素定義膜３１０、発光層３１５、上部電極３３０、透過ウィンドウ３７０、封止層３５０などを含み得る。駆動トランジスタ２５０は、アクティブ層１３０、ゲート電極１７０、ソース電極２１０、及びドレイン電極２３０を含み得る。
【０１３５】
一実施例において、駆動トランジスタ２５０、下部電極２９０、発光層３１５及び上部電極３３０は画素領域Ｉに配置され得る。また、透過ウィンドウ３７０は透過領域ＩＩに配置され得る。例えば、画素領域Ｉでは映像が表示され、透過領域ＩＩではフォルダブル表示パネル１１の反対側に位置する対象のイメージが透過され得る。
【０１３６】
一実施例では、透明表示領域ＴＤＡ以外の表示領域は、画素領域Ｉと実質的に同一又は類似する構成を含み得る。
【０１３７】
基板１１０は軟性を有する透明樹脂基板からなり得る。基板１１０として用いられる透明樹脂基板の例としては、ポリイミド基板を挙げ得る。
【０１３８】
駆動トランジスタ２５０は、アクティブ層１３０、ゲート電極１７０、ソース電極２１０、及びドレイン電極２３０からなり得る。例えば、アクティブ層１３０は基板１１０上に配置され得、酸化物半導体、無機物半導体（例えば、アモルファスシリコン（ａｍｏｒｐｈｏｕｓ  ｓｉｌｉｃｏｎ）、ポリシリコン（ｐｏｌｙ  ｓｉｌｉｃｏｎ））又は有機物半導体などを含み得る。
【０１３９】
アクティブ層１３０上には第１絶縁層１５０が配置され得る。第１絶縁層１５０は画素領域Ｉでアクティブ層１３０をカバーでき、透過領域ＩＩまで延長され得る。即ち、第１絶縁層１５０は、画素領域Ｉ及び透過領域ＩＩの基板１１０上に全体的に配置され得る。第１絶縁層１５０は、シリコン化合物、金属酸化物などを含み得る。
【０１４０】
ゲート電極１７０は、第１絶縁層１５０のうち下部にアクティブ層１３０が位置する部分上に配置され得る。ゲート電極１７０は、金属、合金、金属窒化物、導電性金属酸化物、透明導電性物質などからなり得る。
【０１４１】
ゲート電極１７０上には第２絶縁層１９０が配置され得る。第２絶縁層１９０は画素領域Ｉでゲート電極１７０をカバーでき、透過領域ＩＩまで延長され得る。第２絶縁層１９０は、シリコン化合物、金属酸化物などを含み得る。
【０１４２】
第２絶縁層１９０上にはソース電極２１０及びドレイン電極２３０が配置され得る。ソース電極２１０及びドレイン電極２３０は、各々第１絶縁層１５０及び第２絶縁層１９０の一部を貫通してアクティブ層１３０の一側及び他側に接触され得る。ソース電極２１０及びドレイン電極２３０は、各々金属、合金、金属窒化物、導電性金属酸化物、透明導電性物質などを含み得る。
【０１４３】
ソース電極２１０及びドレイン電極２３０上には第３絶縁層２７０が配置され得る。第３絶縁層２７０は、画素領域Ｉ及び透過領域ＩＩの第２絶縁層１９０上に全体的に配置され得る。第３絶縁層２７０はシリコン化合物、金属酸化物などを含み得る。
【０１４４】
下部電極２９０は第３絶縁層２７０上に配置され得る。下部電極２９０は、第３絶縁層２７０の一部を貫通してソース電極２１０と接続され得る。下部電極２９０は金属、合金、金属窒化物、導電性金属酸化物、透明導電性物質などを含み得る。
【０１４５】
画素定義膜３１０は下部電極２９０の一部を露出させながら、第３絶縁層２７０上に配置され得る。画素定義膜３１０は有機物質又は無機物質からなり得る。画素領域Ｉにおいて、画素定義膜３１０の第１開口は下部電極２９０の一部を露出でき、露出された下部電極２９０上に発光層３１５が位置できる。また、透過領域ＩＩにおいて、画素定義膜３１０の第２開口は第３絶縁層２７０の一部を露出でき、このような第２開口は透過ウィンドウ３７０に該当し得る。
【０１４６】
発光層３１５は露出された下部電極２９０上に配置され得る。発光層３１５は、図１１（ａ）に例示した第１〜第３サブ画素３１５、３２０、３２５によって異なる色の光（即ち、赤色光、緑色光、青色光など）を放出できる発光物質のうち少なくとも１つを使用して形成され得る。
【０１４７】
上部電極３３０は、画素領域Ｉにおいて画素定義膜３１０及び発光層３１５上に配置され得る。上部電極３３０は透過領域ＩＩには配置されない。上部電極３３０は、第１〜第３サブ画素３１５、３２０、３２５に共有され得る。上部電極３３０は金属、合金、金属窒化物、導電性金属酸化物、透明導電性物質などからなり得る。
【０１４８】
封止層３５０は、上部電極３３０、画素定義膜３１０、及び透過ウィンドウ３７０上に配置され得る。封止層３５０は、透明無機物質又はフレキシブルプラスチックからなり得る。例えば、封止層３５０は、軟性を有する透明樹脂基板を含み得る。封止層３５０は、少なくとも１つの有機層及び少なくとも１つの無機層が交互に積層される構造を取り得る。
【０１４９】
図１２（ａ）は本発明の第３の実施形態によるフォルダブル表示装置１００２が広げられた状態の一例を示す平面図であり、図１２（ｂ）は本発明の他の実施例によるフォルダブル表示装置の折り畳まれた状態の一例を示す平面図である。
【０１５０】
図１２（ａ）及び図１２（ｂ）では、図８〜図９（ｂ）を参照して説明した同じ構成要素に対しては同じ参照符号を使用し、当該構成要素に対する重複説明は省略する。また、図１２（ａ）及び図１２（ｂ）のフォルダブル表示装置は、透光部の位置及び形状を除き、図８のフォルダブル表示装置と実質的に同一又は類似する構成を取り得る。
【０１５１】
図８、図１２（ａ）、及び図１２（ｂ）を参照すると、フォルダブル表示装置１００２は、フォルダブル表示パネル１２及び支持部材２２を含み得る。
【０１５２】
第１表示領域ＤＡ１に対応する支持部材２２の第１支持部には、透光部ＬＴＡが位置し得る。一実施例において、透光部ＬＴＡの形状は円形又は楕円形であり得る。
【０１５３】
透光部ＬＴＡは、エレクトロクロミックウィンドウ６０及び入力検知センサ４０を含み得る。
【０１５４】
フォルダブル表示パネル１２は、透光部ＬＴＡに対応する第１表示領域ＤＡ１の一部に透過ウィンドウを含む透明表示領域ＴＤＡを含み得る。透明表示領域ＴＤＡを除いた残りの表示領域は、透過ウィンドウのない不透明な表示領域である。
【０１５５】
図１２（ａ）に示したように、フォルダブル表示装置１００２が広げられた場合、エレクトロクロミックウィンドウ６０が不透明に変わり、透明表示領域ＴＤＡと周辺との輝度偏差又は映像偏差が視認されない。
【０１５６】
一実施例において、フォルダブル表示装置１００２が折り畳まれた場合、エレクトロクロミックウィンドウ６０が透明に変わり、透光部ＬＴＡを介して第２表示領域ＤＡ２に表示される一部の映像が視認可能になり得る。この場合、透明表示領域ＴＤＡは発光しない場合がある。即ち、透明表示領域ＴＤＡが映像を表示しない。また、透光部ＬＴＡに配置される入力検知センサ４０が活性化され、インフォルディング方式のフォルダブル表示装置１００２が折り畳まれた状態で映像又はアプリケーションを制御できる。
【０１５７】
一実施例において、フォルダブル表示装置１００２が折り畳まれた場合、エレクトロクロミックウィンドウ６０が透明に変わり、透光部ＬＴＡを介して透明表示領域ＴＤＡの映像が視認可能になり得る。この場合、透明表示領域ＴＤＡに重畳する他の表示領域はターンオフされた状態であるので、透明表示領域ＴＤＡの映像が鮮明に視認可能になり得る。
【０１５８】
図１３（ａ）は本発明の第４の実施形態によるフォルダブル表示装置１００３が広げられた状態の一例を示す平面図であり、図１３（ｂ）は本発明の実施例によるフォルダブル表示装置の折り畳まれた状態の一例を示す平面図ある。
【０１５９】
図１３（ａ）及び図１３（ｂ）では、図１〜図３（ｃ）を参照して説明した同じ構成要素に対しては同じ参照符号を使用し、当該構成要素に対する重複説明は省略する。また、図１３（ａ）及び図１３（ｂ）のフォルダブル表示装置は、透光部に対応する透光部の位置を除き、図１のフォルダブル表示装置と実質的に同一又は類似する構成を取り得る。
【０１６０】
図１、図１３（ａ）、及び図１３（ｂ）を参照すると、フォルダブル表示装置１００３は、フォルダブル表示パネル１３及び支持部材２３を含み得る。
【０１６１】
一実施例において、図１３（ａ）及び図１３（ｂ）のフォルダブル表示装置１００３は折り畳み軸が第２方向ＤＲ２に平行し、透光部ＬＴＡ及び開口ＯＰが折り畳み軸から第３方向ＤＲ３に離隔して形成され得る。例えば、フォルダブル表示装置１００３は、上下に折り畳まれる電子機器に適用され得る。
【０１６２】
第１表示領域ＤＡ１に対応する支持部材２３の第１支持部には透光部ＬＴＡが配置され得る。一実施例において、透光部ＬＴＡの形状は長方形であり得る。
【０１６３】
透光部ＬＴＡは、透明絶縁層３０及び入力検知センサ４０を含み得る。
【０１６４】
フォルダブル表示パネル１３は支持部材２３上に配置され、広げられた状態で透光部ＬＴＡと重畳しない。
【０１６５】
図１３（ｂ）に示したように、フォルダブル表示装置１００３が折り畳まれた場合、透光部ＬＴＡを介して第２表示領域ＤＡ２に表示される一部の映像（例えば、補助表示領域ＡＤＡの映像）が視認可能になり得る。また、透光部ＬＴＡに配置される入力検知センサ４０が活性化されて、インフォルディング方式のフォルダブル表示装置１００３が折り畳まれた状態で映像又はアプリケーションを制御できる。
【０１６６】
但し、これは例示的なものであり、フォルダブル表示装置の形状、透光部ＬＴＡの位置、形状、及び構造はこれに限定されない。
【０１６７】
図１４（ａ）は本発明の第５の実施形態によるフォルダブル表示装置１００４が広げられた状態の一例を示す平面図であり、図１４（ｂ）は本発明の実施例によるフォルダブル表示装置の折り畳まれた状態の一例を示す平面図である。
【０１６８】
図１４（ａ）及び図１４（ｂ）のフォルダブル表示装置は、透光部に対応する透光部の位置を除き、図８のフォルダブル表示装置と実質的に同一又は類似する構成を取り得る。
【０１６９】
図８、図１４（ａ）、及び図１４（ｂ）を参照すると、フォルダブル表示装置１００４は、フォルダブル表示パネル１４及び支持部材２４を含み得る。
【０１７０】
図１４（ａ）及び図１４（ｂ）のフォルダブル表示装置１００４は、図１３（ａ）及び図１３（ｂ）のフォルダブル表示装置１００３のように上下に折り畳まれる電子機器に適用され得る。
【０１７１】
フォルダブル表示パネル１４は、支持部材２４の透光部ＬＴＡに重畳する透明表示領域ＴＤＡを含み得る。例えば、透明表示領域ＴＤＡは、第１表示領域ＤＡ１の一部に含まれ得る。これにより、第１表示領域ＤＡ１と第２表示領域ＤＡ２の面積は実質的に同じになり得る。
【０１７２】
透光部ＬＴＡは、エレクトロクロミックウィンドウ６０及び入力検知センサ４０を含み得る。
【０１７３】
図１４（ａ）に示したように、フォルダブル表示装置１００４が広げられた状態でエレクトロクロミックウィンドウ６０が不透明に変わり得る。
【０１７４】
図１４（ｂ）に示したように、フォルダブル表示装置１００４が折り畳まれた状態でエレクトロクロミックウィンドウ６０が透明になり得る。
【０１７５】
一実施例において、透明表示領域ＴＤＡに重畳する第２表示領域ＤＡ２の一部の映像が透明なエレクトロクロミックウィンドウ６０及び透明な透明表示領域ＴＤＡを透過してユーザに視認可能になり得る。
【０１７６】
他の実施例において、フォルダブル表示装置１００４が折り畳まれると、第２表示領域ＤＡ２の映像が消され（即ち、ブラック表示）、透明表示領域ＴＤＡに映像が表示され得る。この場合、透明表示領域ＴＤＡの映像が透明なエレクトロクロミックウィンドウ６０を透過してユーザに視認可能になり得る。
【０１７７】
上述したように、本発明の実施例によるフォルダブル表示装置は、インフォルディング方式で具現され、支持部材の一部に入力検知センサを含む透光部が挿入され得る。これにより、フォルダブル表示装置が折り畳まれた状態で表示情報を確認するために、支持部材の第２面に更なる表示パネルを配置する必要がない。従って、表示パネルの追加による製造費用、厚さ、消費電力などの増加が防止される。
【０１７８】
また、透光部に配置される入力検知センサによってフォルダブル表示装置が折り畳まれた状態で映像及び／又はアプリケーションを制御できる。従って、インフォルディング方式のフォルダブル表示装置の使用利便性が増大する。
【０１７９】
以上では、本発明の実施例を参照して説明したが、当該技術分野の熟練した当業者は、添付の特許請求の範囲に記載された本発明の思想及び領域から外れない範囲内で本発明を多様に修正及び変更できることが理解できるであろう。
【符号の説明】
【０１８０】
１０００、１００１、１００２、１００３，１００４      第１〜第５の実施形態によるフォルダブル表示装置
１０、１１、１２、１３、１４      フォルダブル表示パネル
１５      第２入力検知センサ
２０、２２、２３、２４      支持部材
３０      透明絶縁層
４０      第１入力検知センサ、入力検知センサ
５０      透明保護層
６０      エレクトロクロミックウィンドウ
６１      第１透明絶縁層
６２      第１透明電極層
６３      高分子分散型液晶
６４      第２透明電極層
６５      第２透明絶縁層
１１０      基板
１５０、１９０、２７０      第１、第２、第３絶縁層
２５０      駆動トランジスタ
１３０      アクティブ層
１７０      ゲート電極
２１０      ソース電極
２３０      ドレイン電極
２９０      下部電極
３１０      画素定義膜
３１５、３２０、３２５      第１、第２、第３サブ画素、発光層
３３０      上部電極
３５０      封止層
３７０      透過ウィンドウＡＤＡ      補助表示領域
ＣＮＴ−Ｉ      第１接続コンタクトホール
ＣＰ１、ＣＰ２      第１、第２接続部
ＤＡ１，ＤＡ２      表示領域
ＤＭ      表示モジュール
ＤＲ１、ＤＲ２、ＤＲ３      第１、第２、第３方向軸、第１、第２、第３方向
ＦＤＡ      フォルダブル表示領域
ＨＧ      ヒンジ部
ＩＥ１、ＩＥ２      第１、第２検知電極
ＩＳ−ＩＬ１、ＩＳ−ＩＬ２      第１、第２絶縁層
ＬＴＡ      透光部
ＯＰ      開口
ＳＦ１、ＳＦ２      支持部材の第１、第２面
ＳＰ１、ＳＰ２      支持部
ＳＳＰ１、ＳＳＰ２      第１、第２センサ部
ＳＷ      開口の側壁
ＴＤＡ      透明表示領域
Ｗ１、Ｗ２      開口の第１、第２幅
【図１】
2020129102.tif 000003
【図２】
2020129102.tif 000004
【図３】
2020129102.tif 000005
【図４】
2020129102.tif 000006
【図５】
2020129102.tif 000007
【図６】
2020129102.tif 000008
【図７】
2020129102.tif 000009
【図８】
2020129102.tif 000010
【図９】
2020129102.tif 000011
【図１０】
2020129102.tif 000012
【図１１】
2020129102.tif 000013
【図１２】
2020129102.tif 000014
【図１３】
2020129102.tif 000015
【図１４】
2020129102.tif 000016